(57)【要約】【課題】  受雷部が外部からの作用力によってはずれない受雷部取付金物を提供する。【解決手段】  受雷部取付金物は、受雷部５を取り付ける取付部１と、該取付部１をコンクリート躯体１２に固定するポリカプラグ１０と、を備えた構成とした。なお、取付部１は、略長円柱形状である突出部２ａと、該突出部２ａと一体に形成され回転可能な基端部２ｂとよりなる回転部２を有するものであり、回転部２は、突出部２ａの長手方向と受雷部５の長手方向が平行になるよう受雷部５のリップ溝形状断面内に突出部２ａを挿入し、該突出部２ａの長手方向が上記受雷部５の長手方向に対し垂直になるよう上記基端部２ｂを９０度回転させることにより上記突出部２ａを受雷部５内部に密接に装着するようにした。【選択図】図３
2005033928.tif 000002
【特許請求の範囲】
【請求項１】
雷撃を受け止めるための突針、及び該突針と電気的に接続される、コ字状断面またはリップ溝形状断面を有する長尺状の受雷部を、所定の被取付面上に取り付ける受雷部取付金物であって、
該受雷部取付金物は、上記受雷部のコ字状断面またはリップ溝形状断面内に挿入され、９０度回転されることにより該受雷部を取り付ける取付部と、該取付部を上記被取付面に固定する固定部と、を有するものである、
ことを特徴とする受雷部取付金物。
【請求項２】
請求項１に記載の受雷部取付金物において、
上記取付部は、略長円柱形状である突出部と、該突出部と一体に形成され回転可能な基端部とよりなる回転部を有するものであり、
上記回転部は、上記突出部の長手方向と上記受雷部の長手方向が平行になるよう上記受雷部のコ字状断面またはリップ溝形状断面内に上記突出部を挿入し、上記突出部の長手方向が上記受雷部の長手方向に対し垂直になるよう上記基端部を９０度回転させることにより上記突出部を上記受雷部内部に密接に装着可能なものである、
ことを特徴とする受雷部取付金物。
【請求項３】
請求項２に記載の受雷部取付金物において、
上記基端部は、ローレット加工が施されたものである、
ことを特徴とする受雷部取付金物。
【請求項４】
請求項１に記載の受雷部取付金物において、
上記被取付面は、コンクリート躯体であり、
上記固定部は、上記コンクリート躯体に打設されるアンカーボルトである、
ことを特徴とする受雷部取付金物。
【請求項５】
請求項１に記載の受雷部取付金物において、
上記被取付面は、金属製笠木であり、
上記固定部は、フランジ部分、スリーブ部分、ねじ部分を有するナットであり、そのスリーブ部分を座屈変形させることにより上記金属製笠木に取り付けられるものである、
ことを特徴とする受雷部取付金物。
【請求項６】
請求項１に記載の受雷部取付金物において、
上記被取付面はＡＬＣ（オートクレーブド・ライトウエイト・コンクリート）板であり、
上記固定部はＡＬＣ板専用金属系アンカーである、
ことを特徴とする受雷部取付金物。
【請求項７】
請求項１に記載の受雷部取付金物において、
上記被取付面は鉄骨であり、
上記固定部は、上板と下板と側板とから成るコ字状の金物であって、上記鉄骨と接する上板の内側が波型に加工されている、
ことを特徴とする受雷部取付金物。
【請求項８】
請求項１に記載の受雷部取付金物において、
上記被取付面はアスファルトシングル葺き屋根であり、
上記固定部は、クランク状に加工された帯板である、
ことを特徴とする受雷部取付金物。
【請求項９】
請求項１に記載の受雷部取付金物において、
上記被取付面はコンクリート床面であり、
上記固定部は、凸型形状のポリカーボネート製架台である、
ことを特徴とする受雷部取付金物。
【請求項１０】
請求項９に記載の受雷部取付金物において、
上記ポリカーボネート製架台は、シーリング材を用いて上記コンクリート床面に取り付けられる、
ことを特徴とする受雷部取付金物。
【請求項１１】
請求項９に記載の受雷部取付金物において、
上記ポリカーボネート製架台は、上記コンクリート床面に打設されるアンカーボルトを用いて上記コンクリート床面に取り付けられる、
ことを特徴とする受雷部取付金物。
【請求項１２】
請求項９に記載の受雷部取付金物において、
上記ポリカーボネート製架台は、上記コンクリート床面に打設されるアンカーボルトとシーリング材とを用いて上記コンクリート床面に取り付けられる、
ことを特徴とする受雷部取付金物。
【請求項１３】
請求項１に記載の受雷部取付金物において、
上記被取付面は、コンクリート床面であり、
上記固定部は、アンカーボルトにより上記取付部と接続されているコンクリート製の架台である、
ことを特徴とする受雷部取付金物。
【請求項１４】
請求項１に記載の受雷部取付金物において、
上記被取付面は、棟であり、
上記固定部は、その底面が切妻上に加工された筒状で、該筒状部分に帯板を挿入し保持し、該帯板を上記棟の形状に合わせて変形させることにより上記棟に取り付けられる受台である、
ことを特徴とする受雷部取付金物。
【請求項１５】
請求項１に記載の受雷部取付金物において、
上記被取付面は、丸馳折板であり、
上記固定部は、上記丸馳折板を保持する、変則Ｓ型金物と変則Ｚ型金物とよりなり、上記丸馳折板を両側から挟むことによりΩ型形状内部に保持する略Ω型形状の金物である、
ことを特徴とする受雷部取付金物。
【請求項１６】
請求項１に記載の受雷部取付金物において、
上記被取付面は、立馳折板であり、
上記固定部は、上板と下板と側板とから成るコ字状で、上記立馳折板と接する上板の内側が波型に加工された金物である、
ことを特徴とする受雷部取付金物。
【請求項１７】
請求項１に記載の受雷部取付金物において、
上記被取付面は、折板屋根であり、
上記固定部は、折板屋根取付用ボルトである、
ことを特徴とする受雷部取付金物。
【請求項１８】
請求項１に記載の受雷部取付金物において、
上記被取付面は、瓦棒であり、
上記固定部は、上板と下板と側板とから成るコ字状で、かつ上板と下板との一方端がＵ字状に加工され、該各板に上記瓦棒を貫通させて保持する金物本体である、
ことを特徴とする受雷部取付金物。
【請求項１９】
請求項１に記載の受雷部取付金物において、
上記被取付面は、鉄部であり、
上記固定部は、溶接によって上記鉄部に取付けられるボルトである、
ことを特徴とする受雷部取付金物。
【請求項２０】
請求項１に記載の受雷部取付金物において、
上記被取付面は、鋼管であり、
上記固定部は、上記鋼管を保持するよう円弧状に加工された蝶番状のバンドである、
ことを特徴とする受雷部取付金物。
【請求項２１】
請求項１に記載の受雷部取付金物において、
上記被取付面は、アスファルトシングル葺き屋根であり、
上記固定部は、その角が丸みを帯びた凸型形状の架台である、
ことを特徴とする受雷部取付金物。
【請求項２２】
請求項１に記載の受雷部取付金物において、
上記被取付面は、アスファルトシングル葺き屋根の棟部であり、
上記固定部は、その角が丸みを帯びた凸型形状で、かつ、その底面が上記アスファルトシングル葺き屋根の勾配に合わせて加工された架台である、
ことを特徴とする受雷部取付金物。
【請求項２３】
請求項２１、または請求項２２に記載の受雷部取付金物において、
上記架台は、シーリング材を用いて上記被取付面に取り付けられる、
ことを特徴とする受雷部取付金物。
【発明の詳細な説明】
【技術分野】
【０００１】
本発明は、建造物を落雷から保護する避雷設備を構成する受雷部取付金物に関するものである。
【背景技術】
【０００２】
従来の受雷部取付金物の例を二つ挙げて説明する。従来の受雷部としては、複数の導線を束ねてなる避雷導線や、平板状の導帯がある。
図３７は、被取付面に導線を取り付けるための従来の導線取付金物の構成の一例を示す図である。図３７（ａ）は導線取付金物の正面図であり、図３７（ｂ）は右側面図を示したものである。
【０００３】
上記従来の導線取付金物は、導線保持部１７０１、ボルト１７０２、防水パッキング１７０３、支持部１７０４、金属系アンカー１７０５、ねじ１７０６、回転部１７０７で構成され、避雷導線１７０８を建造物（鉄筋コンクリート造）１７００上の所定位置に取り付けるためのものである。
【０００４】
導線保持部１７０１は、避雷導線１７０８を挿入し保持する、バンド状に加工された金物で、材質は耐食性アルミ合金若しくは黄銅製である。
ボルト１７０２はステンレス製で、導線保持部１７０１を回転部１７０７に取付ける際に使用される。
【０００５】
防水パッキング１７０３はシリコンゴム製で、円形に加工されたものであり、金属系アンカー１７０５を建造物１７００に取り付けるにあたって穿孔される穴への雨水の浸入を防ぎ、建造物１７００の劣化を防止する。
支持部１７０４は、凸型の円筒状の耐食性アルミ合金、若しくは黄銅製金物で、凸部の先端部には雄ねじ加工が施されている。
【０００６】
金属系アンカー１７０５は、社団法人建築あと施工アンカー協会が定める内部コーン打込み式のアンカーで、材質はステンレスである。なお、金属系アンカー１７０５は、円筒状で拡張部１７０５ｂを有し、該拡張部１７０５ｂは、円周を均等に４分割する切れ目が加工されている。また、金属系アンカー１７０５の内側は、ねじ１７０６を挿入するための、雌ねじ加工が施されている。また、金属アンカー１７０５には、円錐台上のコーン１７０５ａが内部に収められている。
【０００７】
ねじ１７０６はステンレス製で、防水パッキング１７０３を取付けられた支持部１７０４を、上記金属系アンカー１７０５に接続する際に使用される。
回転部１７０７の材質は耐食性アルミ合金若しくは黄銅製で、形状は凸型で、底面部は円筒状に加工されている。また、上記底面部の円筒の内側は、回転部１７０７が支持部１７０４に取付け可能とする、雌ねじ加工が施され、更に、凸部の中央部分には穴が明けられ、導線保持部１７０１をボルト１７０２によって取付け可能としている。
【０００８】
以下、上記構成を有する導線取付金物を、建造物１７００に取付ける手順を説明する。
まず、ハンマードリルによって建造物１７００の所定の位置に穿孔された穴に、金属系アンカー１７０５を、拡張部１７０５ｂを奥にして取付ける。取付けられた金属系アンカー１７０５に打込棒を挿入し、該打込棒がハンマーにより強打されることによって上記コーン１７０５ａが打込まれ、上記コーン１７０５ａが上記穿孔した穴の中で上記拡張部１７０５ｂを拡げ、上記穴の中にくさびが形成され、上記金属系アンカー１７０５は上記建造物１７００に取付けられる。
【０００９】
次に、防水パッキング１７０３が取付けられた支持部１７０４を、上記金属系アンカー１７０５に上記ねじ１７０６を用いて接続し、さらに、この支持部１７０４に回転部１７０７を接続する。
最後に、導線保持部１７０１に避雷導線１７０８を取り付け、この導線保持部１７０１をボルト１７０２を用いて回転部１７０７に固定する。
このようにして、避雷導線１７０８を被取付面である建造物１７００上の所定位置に取り付けることができる。
【００１０】
図３８は、被取付面に導帯を取り付けるための、従来の導帯取付金物の構成の一例を示す図である。
従来の導帯取付金物は、Ｈ型部１８０１、コの字型部１８０４、金属系アンカー１８０５、耐食性ゴム１８０６、ねじ１８０７で構成され、導帯１８０８を建造物（鉄筋コンクリート造）１８００上の所定位置に取り付けるものである。
【００１１】
Ｈ型部１８０１は耐食性アルミ合金若しくは黄銅製の、略Ｈ字形状の金物で、上面には、導帯１８０８が取付られる溝と、ねじ１８０７が貫通する穴とが設けられている。内部には、ベアリングとスプリングとよりなるばねが、１対備えられている。
コの字型部１８０４は耐食性アルミ合金若しくは黄銅製の、略コ字状の金物で、該コの字型部１８０４は、Ｈ型部１８０１の内部にあるベアリングとスペアリングとよりなるばねを利用して押し上げられる仕組みとなっている。
【００１２】
金属系アンカー１８０５は、上記導線取付金物に使用されたのと同一の金属系アンカーで、材質はステンレスである。なお、金属系アンカー１８０５は、円筒状で拡張部１８０５ｂを有し、該拡張部１８０５ｂは、円周を均等に４分割する切れ目が加工されている。また、金属系アンカー１８０５の内側は、ねじ１８０７を挿入するための、雌ねじ加工が施されている。また、金属系アンカー１８０５には、円錐台上のコーン１８０５ａが内部に収められている。
【００１３】
耐食性ゴム１８０６は、凹型で耐食性を有するゴム加工品で、金属系アンカー１８０５を建造物１８００へ取付けるにあたって穿孔された穴への雨水の浸入を防ぎ、建造物１８００の劣化を防止する。
ねじ１８０７は、金属系アンカー１８０５に上記Ｈ型部１８０１を固定するために使用される。材質はステンレスである。
【００１４】
以下、上記構成を有する導帯取付金物を、建造物１８００に取付ける手順を説明する。
まず、ハンマードリルによって建造物１８００の所定の位置に穿孔された穴に、上記金属系アンカー１８０５を、拡張部１８０５ｂを奥にして取付ける。取付けられた上記金属系アンカー１８０５に打込棒を挿入し、該打込棒がハンマーにより強打されることによってコーン１８０５ａが打込まれ、該コーン１８０５ａが上記穿孔した穴の中で拡張部１８０５を拡げ、穴の中にくさびが形成され、上記金属系アンカー１８０５は建造物１８００に取付けられる。
【００１５】
次に、耐食性ゴム１８０６をＨ型部１８０１に取付け、耐食性ゴム１８０６が取付けられたＨ型部１８０１を、上記金属系アンカー１８０５に上記ねじ１８０７で固定する。
そして、固定されたＨ型部１８０１の溝に導帯１８０８をのせて、コの字型部１８０４とＨ型部１８０１とをばねを利用して噛み合わせる。
【特許文献１】特開平１１−８０９２号公報
【発明の開示】
【発明が解決しようとする課題】
【００１６】
一般的に避雷設備は屋外の高所という自然環境が過酷な場所に設置されるので、避雷設備は外気温、風圧、震動による外力を常に受ける。そして、従来の構成を有する避雷設備では、上記外力や上記スプリング等の経年による劣化により導線や導体などの受雷部が、該受雷部の取付金物から外れる可能性があった。
【００１７】
そして、避雷設備は、受雷部が受雷部取付金物から外れてしまうことは、避雷設備の本来の機能を発揮できないばかりでなく、避雷設備を含む建物のメンテナンスや維持管理に費用を必要とするという問題がある。
本発明は、上記問題に鑑みてなされたものであり、簡単、かつ確実に、受雷部と被取付面上に取り付けることが可能な受雷部取付金物を提供することを目的とするものである。
【課題を解決するための手段】
【００１８】
上記課題を解決するために、本発明の請求項１に記載の受雷部取付金物は、雷撃を受け止めるための突針、及び該突針と電気的に接続される、コ字状断面またはリップ溝形状断面を有する長尺状の受雷部を、所定の被取付面上に取り付ける受雷部取付金物であって、該受雷部取付金物は、上記受雷部のコ字状断面またはリップ溝形状断面内に挿入され、９０度回転されることにより該受雷部を取り付ける取付部と、該取付部を上記被取付面に固定する固定部と、を有するものであることを特徴とする。
【００１９】
また、本発明の請求項２に記載の受雷部取付金物は、請求項１に記載の受雷部取付金物において、上記取付部は、略長円柱形状である突出部と、該突出部と一体に形成され回転可能な基端部とよりなる回転部を有するものであり、上記回転部は、上記突出部の長手方向と上記受雷部の長手方向が平行になるよう上記受雷部のコ字状断面またはリップ溝形状断面内に上記突出部を挿入し、上記突出部の長手方向が上記受雷部の長手方向に対し垂直になるよう上記基端部を９０度回転させることにより上記突出部を上記受雷部内部に密接に装着可能なものであることを特徴とするものである。
【００２０】
また、本発明の請求項３に記載の受雷部取付金物は、請求項２に記載の受雷部取付金物において、上記基端部は、ローレット加工が施されたものであることを特徴とするものである。
また、本発明の請求項４に記載の受雷部取付金物は、請求項１に記載の受雷部取付金物において、上記被取付面は、コンクリート躯体であり、上記固定部は、上記コンクリート躯体に打設されるアンカーボルトであることを特徴とする。
【００２１】
また、本発明の請求項５に記載の受雷部取付金物は、請求項１に記載の受雷部取付金物において、上記被取付面は、金属製笠木であり、上記固定部は、フランジ部分、スリーブ部分、ねじ部分を有するナットであり、そのスリーブ部分を座屈変形させることにより上記金属製笠木に取り付けられるものであることを特徴とする。
【００２２】
また、本発明の請求項６に記載の受雷部取付金物は、請求項１に記載の受雷部取付金物において、上記被取付面はＡＬＣ（オートクレーブド・ライトウエイト・コンクリート）板であり、上記固定部はＡＬＣ板専用金属系アンカーであることを特徴とする。
【００２３】
また、本発明の請求項７に記載の受雷部取付金物は、請求項１に記載の受雷部取付金物において、上記被取付面は鉄骨であり、上記固定部は、上板と下板と側板とから成るコ字状の金物であって、上記鉄骨と接する上板の内側が波型に加工されていることを特徴とする。
【００２４】
また、本発明の請求項８に記載の受雷部取付金物は、請求項１に記載の受雷部取付金物において、上記被取付面はアスファルトシングル葺き屋根であり、上記固定部は、クランク状に加工された帯板であることを特徴とするものである。
【００２５】
また、本発明の請求項９に記載の受雷部取付金物は、請求項１に記載の受雷部取付金物において、上記被取付面はコンクリート床面であり、上記固定部は、凸型形状のポリカーボネート製架台であることを特徴とするものである。
【００２６】
また、本発明の請求項１０に記載の受雷部取付金物は、請求項９に記載の受雷部取付金物において、上記ポリカーボネート製架台は、シーリング材を用いて上記コンクリート床面に取り付けられることを特徴とするものである。
【００２７】
また、本発明の請求項１１に記載の受雷部取付金物は、請求項９に記載の受雷部取付金物において、上記ポリカーボネート製架台は、上記コンクリート床面に打設されるアンカーボルトを用いて上記コンクリート床面に取り付けられることを特徴とする。
【００２８】
また、本発明の請求項１２に記載の受雷部取付金物は、請求項９に記載の受雷部取付金物において、上記ポリカーボネート製架台は、上記コンクリート床面に打設されるアンカーボルトとシーリング材とを用いて上記コンクリート床面に取り付けられることを特徴とするものである。
【００２９】
また、本発明の請求項１３に記載の受雷部取付金物は、請求項１に記載の受雷部取付金物において、上記被取付面は、コンクリート床面であり、上記固定部は、アンカーボルトにより上記取付部と接続されているコンクリート製の架台であることを特徴とするものである。
【００３０】
また、本発明の請求項１４に記載の受雷部取付金物は、請求項１に記載の受雷部取付金物において、上記被取付面は、棟であり、上記固定部は、その底面が切妻上に加工された筒状で、該筒状部分に帯板を挿入し保持し、該帯板を上記棟の形状に合わせて変形させることにより上記棟に取り付けられる受台であることを特徴とするものである。
【００３１】
また、本発明の請求項１５に記載の受雷部取付金物は、請求項１に記載の受雷部取付金物において、上記被取付面は、丸馳折板であり、上記固定部は、上記丸馳折板を保持する、変則Ｓ型金物と変則Ｚ型金物とよりなり、上記丸馳折板を両側から挟むことによりΩ型形状内部に保持する略Ω型形状の金物であることを特徴とするものである。
【００３２】
また、本発明の請求項１６に記載の受雷部取付金物は、請求項１に記載の受雷部取付金物において、上記被取付面は、立馳折板であり、上記固定部は、上板と下板と側板とから成るコ字状で、上記立馳折板と接する上板の内側が波型に加工された金物であることを特徴とするものである。
【００３３】
また、本発明の請求項１７に記載の受雷部取付金物は、請求項１に記載の受雷部取付金物において、上記被取付面は、折板屋根であり、上記固定部は、折板屋根取付用ボルトであることを特徴とする。
【００３４】
また、本発明の請求項１８に記載の受雷部取付金物は、請求項１に記載の受雷部取付金物において、上記被取付面は、瓦棒であり、上記固定部は、上板と下板と側板とから成るコ字状で、かつ上板と下板との一方端がＵ字状に加工され、該各板に上記瓦棒を貫通させて保持する金物本体であることを特徴とするものである。
【００３５】
また、本発明の請求項１９に記載の受雷部取付金物は、請求項１に記載の受雷部取付金物において、上記被取付面は、鉄部であり、上記固定部は、溶接によって上記鉄部に取付けられるボルトであることを特徴とする。
【００３６】
また、本発明の請求項２０に記載の受雷部取付金物は、請求項１に記載の受雷部取付金物において、上記被取付面は、鋼管であり、上記固定部は、上記鋼管を保持するよう円弧状に加工された蝶番状のバンドであることを特徴とするものである。
【００３７】
また、本発明の請求項２１に記載の受雷部取付金物は、請求項１に記載の受雷部取付金物において、上記被取付面は、アスファルトシングル葺き屋根であり、上記固定部は、その角が丸みを帯びた凸型形状の架台であることを特徴とするものである。
【００３８】
また、本発明の請求項２２に記載の受雷部取付金物は、請求項１に記載の受雷部取付金物において、上記被取付面は、アスファルトシングル葺き屋根の棟部であり、上記固定部は、その角が丸みを帯びた凸型形状で、かつ、その底面が上記アスファルトシングル葺き屋根の勾配に合わせて加工された架台であることを特徴とするものである。
【００３９】
また、本発明の請求項２３に記載の受雷部取付金物は、請求項２１、または請求項２２に記載の受雷部取付金物において、上記架台は、シーリング材を用いて上記被取付面に取り付けられることを特徴とする。
【発明の効果】
【００４０】
本発明にかかる受雷部取付金物によれば、雷撃を受け止めるための突針、及び該突針と電気的に接続される、コ字状断面またはリップ溝形状断面を有する長尺状の受雷部を、所定の被取付面上に取り付ける受雷部取付金物であって、該受雷部取付金物は、上記受雷部のコ字状断面またはリップ溝形状断面内に挿入され、９０度回転されることにより該受雷部を取り付ける取付部と、該取付部を上記被取付面に固定する固定部と、を有するものであるようにしたので、上記受雷部取付部を回転させるだけで受雷部を取付けることが可能となり、上記受雷部と上記受雷部取付部とに「にげ」をとることによって、上記受雷部は該受雷部の材軸方向と該受雷部の材軸方向の直角方向とに融通を利かせることが可能となり、受雷部もしくは受雷部取付金物が上記外力を受けた時、受雷部と受雷部取付金物とに負荷荷重が生じなくなる結果、避雷設備が取付く場所に係わらず上記受雷部が上記受雷部取付金物からはずれない避雷設備を提供することが可能となる。
【００４１】
また、本発明にかかる受雷部取付金物によれば、上記取付部は、略長円柱形状である突出部と、該突出部と一体に形成され回転可能な基端部とよりなる回転部を有するものであり、上記回転部は、上記突出部の長手方向と上記受雷部の長手方向が平行になるよう上記受雷部のコ字状断面またはリップ溝形状断面内に上記突出部を挿入し、上記突出部の長手方向が上記受雷部の長手方向に対し垂直になるよう上記基端部を９０度回転させることにより上記突出部を上記受雷部内部に密接に装着可能なものであることより、簡単に受雷部を取り付けることができ、かつ、受雷部がはずれにくい受雷部取付金物を提供することができる。
【００４２】
また、本発明にかかる受雷部取付金物によれば、上記基端部にローレット加工を施したので、手元を滑らせずに回転部を回転させることが可能となり、作業性の改善を図ることが可能となる。
【発明を実施するための最良の形態】
【００４３】
以下、本発明の実施の形態について図面を参照しながら説明する。なお、ここで示す実施の形態はあくまでも一例であって、必ずしもこの実施の形態に限定されるものではない。
【００４４】
（実施の形態１）
以下、本発明の実施の形態１にかかる受雷部取付金物について、図１〜図３を用いて説明する。
図１は、本発明の受雷部取付金物を構成する取付部を示したものであり、（ａ）は正面図、（ｂ）は平面中央断面図である。また、（ｃ）は、コ字状断面を有する受雷部を示したものである。
【００４５】
受雷部取付金物の取付部１は、受雷部５のリップ溝形状断面内に挿入される、扁平状（略長円柱形状）の突出部２ａとローレット加工された基端部２ｂとを有する回転部２と、該回転部２を支持する支持部３とよりなるものである。なお、取付部１、及び受雷部５は、アルマイト加工を施されたアルミニウム製である。また、取付部１の底面には、シリコンゴム製の防水パッキング４が取り付けられている。また、基端部２ｂと支持部３には、本特許出願人の登録商標である『ＯＨＫ』が浮き字により表示されている。
【００４６】
図２は、本実施の形態１による受雷部取付金物の構成を示したものであり、（ａ）正面図、（ｂ）は右側面図を示したものである。
本実施の形態１の受雷部取付金物は、図１に示す取付部１と、アンカーボルト（ポリカプラグ）１０と、十字穴付小ねじ１１とで構成され、受雷部５を被取付面であるコンクリート躯体１２に取り付けるためのものである。
十字穴付小ねじ１１はステンレス製で、ポリカプラグ１０に取付部１を固定するために用いられる。
【００４７】
ポリカプラグ１０はポリカーボネート製で、十字穴付小ねじ１１にトルクを与えることでポリカプラグ１０の先端のくさびが一部切れ目の入った軸部を広げ、被取付面にくさびが形成され、その結果、取付部１をコンクリ−ト躯体１２に固定するために用いられる金物である。
【００４８】
以上のように構成された受雷部取付金物の被取付面（コンクリート躯体）への設置方法について図３を用いて説明する。
まず、ポリカプラグ１０をコンクリート躯体１２の所定の位置に打設する。打設したポリカプラグ１０に防水パッキング４付きの支持部３を十字穴付小ねじ１１を用いて接続する。
【００４９】
そして、支持部３の回転部２を挿入し、回転部２を右回転させて回転部２を支持部３に接続する。これにより、回転部２は所定の高さに仮止めされる。このとき、図３（ａ）に示すように、突出部２ａの長辺方向と受雷部５の材軸方向とを平行になるようにする。平行になっているかどうかは、回転部２の基端部２ｂに表示されている『ＯＨＫ』が、支持部３の右側面側に位置するかどうかで簡単に確認できる。
【００５０】
そして、平行になっているのを確認してから、回転部２の基端部２ｂを手で９０度右回転させると、図３（ｂ）に示すように、突出部２ａと受雷部５内部が固定される。また、図３（ｄ）に示すように、受雷部取付金物の正面から見たときに基端部２ｂに表示されている『ＯＨＫ』と支持部３に表示されている『ＯＨＫ』とが目視できれば、受雷部取付金物のコンクリート躯体１２への設置が完了したと判断する。このようにして、受雷部取付金物はコンクリート躯体１２に設置される。
【００５１】
ここで重要なのは、受雷部５がコ字状またはリップ溝型鋼状に加工されていること、突出部２ａが扁平に加工されていること、により受雷部５を回転部２の突出部２ａに取り付ける際、回転部２を９０度回転させるだけで、受雷部５を容易にしかも確実に取付ることが可能になる。
【００５２】
このような本実施の形態１による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、ポリカプラグ１０とを有し、ポリカプラグを打設することにより、コンクリート躯体１２に取り付くようにしたので、コンクリート躯体に設置することができ、また、受雷部の取り付け方が簡単で、かつ、受雷部がはずれにくい受雷部取付金物を実現可能である。
【００５３】
また、本実施の形態１では、上記取付部１は、略長円柱形状である突出部２ａと、該突出部２ａと一体に形成され回転可能な基端部２ｂとよりなる回転部２を有するものであり、該回転部２は、上記突出部２ａの長手方向と上記受雷部５の長手方向が平行になるよう上記受雷部５のリップ溝形状断面内に上記突出部２ａを挿入し、上記突出部２ａの長手方向が上記受雷部５の長手方向に対し垂直になるよう上記基端部２ｂを９０度回転させることにより、突出部２ａを受雷部５内部に密接に装着可能であるので、受雷部を受雷部取付金物からよりはずれにくい避雷設備を提供することが可能になる。
【００５４】
また、本実施の形態１では、上記基端部２ｂはローレット加工が施されているので、回転部２を取付部の支持部３に取付の際や、受雷部５を突出部２ａに取り付ける際に、手元が滑らずに上記回転部２を回転させることが可能となり、作業性の改善を図ることが可能となる。
また、上記受雷部取付金物の材質をポリカーボネートとしてもアルミ製アルマイトと同様の効果が得られ、受雷部の耐久性の向上や軽量化を図ることが可能になる。
【００５５】
（実施の形態２）
以下、本発明の実施の形態２にかかる受雷部取付金物について、図４、及び図５を用いて説明する。
図４は、本実施の形態２による受雷部取付金物の構成を示す図であり、（ａ）は正面図、（ｂ）は右側面図である。なお、図において、図１と同一または相当する構成要素については同じ符号を用い、その説明を省略する。
【００５６】
本実施の形態２の受雷部取付金物は、図１に示す取付部１と、フランジ部分、スリーブ部分、ねじ部分を有するナット（ポップナット）２０と、十字穴付小ねじ２１とで構成され、コンクリート躯体２３に取付可能な金属製笠木２２に受雷部５を取り付けるものである。
【００５７】
ポップナット２０は、円筒状で、基端部分のフランジ部、中央部分のスリーブ部、先端部分のねじ部とで構成され、ねじ部にトルクを加えることでスリーブ部に座屈変形をおこさせ、金属製笠木２２を座屈変形した部分とフランジ部とで挟むことにより締結され、防水効果を兼ね備えた密閉形のアルミ製の金物である。
十字穴付小ねじ２１はステンレス製で、ねじを締めることによってポップナット２０のスリーブ部を座屈変形させて、金属製笠木２２と取付部１とを接続するために用いられる。
【００５８】
以上のように構成された受雷部取付金物の被取付面（金属性笠木）への設置方法について図５を用いて説明する。
まず、ポップナット２０を金属製笠木２２の所定位置に取り付け、該ポップナット２０に、防水パッキング４付きの支持部３を十字穴付小ねじ２１を用いて締めることによりポップナット２０のスリーブ部を座屈変形させ、支持部３を金属製笠木２２に固定する。
【００５９】
そして、上記実施の形態１と同様にして、支持部３の回転部２を挿入し、回転部２を右回転させて、図５（ａ）に示すように、回転部２を支持部３に仮止めする。その後、回転部２の基端部２ｂを手で９０度右回転させると、突出部２ａと受雷部５内部が固定され、図５（ｂ）に示すように、受雷部取付金物の正面から見たときに基端部２ｂに表示されている『ＯＨＫ』と支持部３に表示されている『ＯＨＫ』とが目視することができれば、受雷部取付金物の金属製笠木２２への設置が完了したと判断する。このようにして、受雷部取付金物は金属製笠木２２に設置される。
【００６０】
このような本実施の形態２による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、ポップナット２０とを有し、ポップナット２０のスリーブ部分を座屈変形させることにより金属製笠木２２に取り付くようにしたので、金属製笠木に設置することができ、また、受雷部の取り付け方が簡単で、かつ、受雷部がはずれにくい受雷部取付金物を実現可能である。
【００６１】
なお、本実施の形態２において、工場にて上記固定部を金属性笠木に取付けするようにすれば、工場生産によって作業現場での工程数を省くことが可能となり、生産性と品質とを向上とさせることが可能になる。
また、本実施の形態２においては、避雷設備を取付ける躯体がコンクリート躯体２３である場合を説明したが、上記金属製笠木２２が取付く躯体がＡＬＣ板であっても本実施の形態２と同様の構成で取付け可能である。
【００６２】
また、本実施の形態２で用いたポップナット２０は、防水機能を兼ね備え、先端部分のねじ部にトルクを加えることで中央部分のスリーブ部に座屈変形をおこさせ、取付けの対象となる部位を座屈変形した部分と基端部分のフランジ部とで挟むことにより締結されればよく、上記密閉形のポップナットに限定されるものではない。
【００６３】
（実施の形態３）
以下、本発明の実施の形態３にかかる受雷部取付金物について、図６、及び図７を用いて説明する。
図６は、本実施の形態３による受雷部取付金物の構成を示したものであり、（ａ）は正面図、（ｂ）は右側面図である。なお、図において、図１と同一または相当する構成要素については同じ符号を用い、その説明を省略する。
【００６４】
本実施の形態３の受雷部取付金物は、図１に示す取付部１と、ＡＬＣ板専用金属系アンカー３０と、十字穴付小ねじ３１とで構成され、受雷部５を被取付面であるＡＬＣ板３２上の所定位置に取り付けるものである。
十字穴付小ねじ３１はステンレス製で、ＡＬＣ板専用金属系アンカー３０と取付部１とを接続固定するために用いられる。
【００６５】
なお、本実施の形態３に用いられるＡＬＣ板専用金属系アンカー３０は、社団法人日本建築あと施工アンカー協会によって定義されるあと施工アンカーであって、施工方式では金属拡張アンカーの締付方式に属し、固着機能では一端拡張型のテーパーボルト式に属する、金属系アンカーである。あと施工アンカーの使用に際しては、アンカーに作用する力と、アンカーの耐力と、対象母材（被取付面）との関係と、を考慮して適切なるアンカーを採用する必要がある。
【００６６】
また、本実施の形態３に用いられる対象母材はＡＬＣ板であるが、ＡＬＣ板はコンクリートと比べると薄くて軽いため見掛け上の強度がコンクリートより劣るとされ、割れ、欠け、破壊が生じやすい。従って、上記あと施工アンカーをＡＬＣ板に取付ける際はＡＬＣ板の割れ、欠け、破壊を未然に防止する効果を有するＡＬＣ板専用金属系アンカーが採用される。
【００６７】
また、上記ＡＬＣ板専用金属系アンカー３０に取付けた十字穴付小ねじ３１にトルクを与えることで、上記ＡＬＣ板専用金属系アンカー３０の一部が座屈をおこして上記ＡＬＣ板３２の中で広がる。これがくさびの役目を果たして上記取付部１をＡＬＣ板３２に固定することができる。
以上のように構成された受雷部取付金物の被取付面（ＡＬＣ板）への設置方法を図７を用いて説明する。
【００６８】
まず、ＡＬＣ板専用金属系アンカー３０をＡＬＣ板３２の所定の位置に取付ける。取付けたＡＬＣ板専用金属系アンカー３０に防水パッキング４付きの支持部３を十字穴付小ねじ３１を用いて固定する。
【００６９】
そして、上記実施の形態１と同様にして、支持部３の回転部２を挿入し、回転部２を右回転させて、図７（ａ）に示すように、回転部２を支持部３に仮止めする。その後、回転部２の基端部２ｂを手で９０度右回転させると、突出部２ａと受雷部５内部が固定され、図７（ｂ）に示すように、受雷部取付金物の正面から見たときに基端部２ｂに表示されている『ＯＨＫ』と支持部３に表示されている『ＯＨＫ』とが目視することができれば、受雷部取付金物のＡＬＣ板３２への設置が完了したと判断する。このようにして、受雷部取付金物をＡＬＣ板に設置される。
【００７０】
このような本実施の形態３による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、ＡＬＣ板専用金属系アンカー３０とを有し、上記ＡＬＣ板専用金属系アンカー３０の一部が座屈をおこしてＡＬＣ板３２の中で広がることによりくさびの役目を果たしてＡＬＣ板３２に取り付くようにしたので、ＡＬＣ板に設置することができ、また、受雷部の取り付け方が簡単で、かつ、受雷部がはずれにくい受雷部取付金物を実現可能である。
【００７１】
なお、本実施の形態３では、ＡＬＣ板専用金属系アンカーはあと施工アンカーであって、施工方式では金属拡張アンカーの締付方式に属し、固着機能では一端拡張型のテーパーボルト式に属する、金属系アンカーである場合を説明した。金属系アンカーとしては、ＡＬＣ板に取付る際、上記ＡＬＣに割れ、欠け、破壊を未然に防ぐあと施工アンカーであればよく、上記ＡＬＣ板専用金属系アンカーに限定されるのもではない。
【００７２】
（実施の形態４）
以下、本発明の実施の形態４にかかる受雷部取付金物について、図８、及び図９を用いて説明する。
図８は、本実施の形態４による受雷部取付金物の構成を示す図であり、（ａ）は正面図、（ｂ）は右側面図である。なお、図において、図１と同一または相当する構成要素については同じ符号を用い、その説明を省略する。
【００７３】
本実施の形態４の受雷部取付金物は、図１に示す取付部１と、金物４０と、十字穴付小ねじ４１と、六角ナット４２，４５と、スプリングワッシャ４３と、六角ボルト４４とで構成され、受雷部５を鉄骨４６に取り付けるものである。
十字穴付小ねじ４１、六角ナット４２、スプリングワッシャ４３はステンレス製で、取付部１を金物４０に固定するために用いられる。
【００７４】
金物４０は、上板、下板、側板からなるコ字状で、鉄骨４６と接するコ字状の上板の内側は鉄骨４６からの離脱を防止する為に波型に加工され、材質はＳＳ４００で溶融亜鉛めっきが施されている。なお、鉄骨の板厚および取付箇所の環境は多種多様に亘るので、金物の寸法は鉄骨のサイズに適合させることが可能である。
【００７５】
六角ボルト４４、六角ナット４５はステンレス製で、金物４０を鉄骨４６に固定する為に用いられる。
以上のように構成された受雷部取付金物の被取付面（鉄骨）への設置方法について図９を用いて説明する。
【００７６】
まず、防水パッキング４付きの支持部３を十字穴付小ねじ４１、スプリングワッシャ４３、六角ナット４２を用いて金物４０に取り付ける。
次に、支持部３が取り付けられた金物４０を、六角ボルト４４、及び六角ナット４５を用いて鉄骨４６に固定する。
【００７７】
そして、上記実施の形態１と同様にして、支持部３の回転部２を挿入し、回転部２を右回転させて、図９（ａ）に示すように、回転部２を支持部３に仮止めする。その後、回転部２の基端部２ｂを手で９０度右回転させると、突出部２ａと受雷部５内部が固定され、図９（ｂ）に示すように、受雷部取付金物の正面から見たときに基端部２ｂに表示されている『ＯＨＫ』と支持部３に表示されている『ＯＨＫ』とが目視することができれば、受雷部取付金物の鉄骨４６への設置が完了したと判断する。このようにして、受雷部取付金物は、鉄骨４６に設置される。
【００７８】
このような本実施の形態４による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、上板と下板と側板とから成るコ字状で、鉄骨と接する上板の内側が波型に加工された金物４０とを有し、金物４０をねじとナットとを用いて鉄骨４６に取り付くようにしたので、鉄骨に設置することができ、また、受雷部の取り付け方が簡単で、かつ、受雷部がはずれにくい受雷部取付金物を実現可能である。
【００７９】
（実施の形態５）
以下、本発明の実施の形態５にかかる受雷部取付金物について、図１０、及び図１１を用いて説明する。
図１０は、本実施の形態５による受雷部取付金物の構成を示したものである。なお、図において、図１と同一または相当する構成要素については同じ符号を用い、その説明を省略する。
【００８０】
本実施の形態５による受雷部取付金物は、図１に示す取付部１と、帯板５０と、十字穴付小ねじ５１と、六角ナット５２と、釘５３とで構成され、受雷部５を被取付面であるアスファルトシングル葺き屋根５４上に取り付けるものである。
十字穴付小ねじ５１、六角ナット５２は、取付部１を帯板５０に取り付ける際に用いられる。
【００８１】
釘５３はステンレス製で、帯板５０をアスファルトシングル葺き屋根５４に固定されるのに用いられる。
帯板５０はステンレス製で、取付部１が取付く端部と、アスファルトシングル葺き屋根５４に取付く端部とには、それぞれ段差をつけてクランク状に加工されている。
【００８２】
以上のように構成された受雷部取付金物の被取付面（アスファルトシングル葺き屋根）への設置方法について図１１を用いて説明する。
まず、防水パッキング４付きの支持部３を十字穴付小ねじ５１、六角ナット５２を用いて帯板５０に取付ける。
次に、支持部３が取り付けられた帯板５０を、釘５３を使用してアスファルトシングル葺き屋根５４の所定の位置に固定する。
【００８３】
そして、上記実施の形態１と同様にして、支持部３の回転部２を挿入し、回転部２を右回転させて、図１１（ａ）に示すように、回転部２を支持部３に仮止めする。その後、回転部２の基端部２ｂを手で９０度右回転させると、突出部２ａと受雷部５内部が固定され、図１１（ｂ）に示すように、受雷部取付金物の正面から見たときに基端部２ｂに表示されている『ＯＨＫ』と支持部３に表示されている『ＯＨＫ』とが目視することができれば、受雷部取付金物のアスファルトシングル葺き屋根５４への設置が完了したと判断する。このようにして、受雷部取付金物は、アスファルトシングル葺き屋根５４に設置される。
【００８４】
このような本実施の形態５による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、帯板５０とを有し、釘５３を用いてアスファルトシングル葺き屋根５４に取り付くようにしたので、防水層を傷めることなく、簡単にアスファルトシングル葺き屋根に設置することができ、また、受雷部の取り付け方が簡単で、かつ、受雷部がはずれにくい受雷部取付金物を実現可能である。
【００８５】
（実施の形態６）
以下、本発明の実施の形態６にかかる受雷部取付金物について、図１２、及び図１３を用いて説明する。
図１２は、本実施の形態６による受雷部取付金物の構成を示す図であり、（ａ）は正面図、（ｂ）は右側面図である。なお、図において、図１と同一または相当する構成要素については同じ符号を用いる。
【００８６】
本実施の形態６による受雷部取付金物は、図１に示す取付部１と、架台６０と、十字穴付小ねじ６１とで構成され、受雷部５をシーリング材を用いて被取付面であるコンクリート床６２に取り付けるものである。
架台６０は、ポリカーボネート製で、形状は凸型をしており凸部の底面は正方形で、コンクリート床６２との接着力を増すために山切り状に加工され、底面部分の重心部に円筒状の凹部が設けられている。また凸部の立ち上がり部分は円形で、凸部立ち上がり部分の中央部には、取付部１を十字穴付小ねじ６１で取付けるための雌ねじが加工されている。
【００８７】
十字穴付小ねじ６１はステンレス製で、取付部１を架台６０に取付けるのに用いられる。
以上のように構成された受雷部取付金物の被取付面（コンクリート床）への設置方法について図１３を用いて説明する。
【００８８】
まず、架台６０をシーリング材でコンクリート床６２に固定する。コンクリート床６２に固定された架台６０に、十字穴付小ねじ６１を用いて防水パッキング４付き支持部３を取付ける。なお、架台６０に十字穴付小ねじ６１を用いて取付部１を取付けた後、架台６０をシーリング材によりコンクリート床６２に固定してもよい。
【００８９】
そして、上記実施の形態１と同様にして、支持部３の回転部２を挿入し、回転部２を右回転させて、図１３（ａ）に示すように、回転部２を支持部３に仮止めする。その後、回転部２の基端部２ｂを手で９０度右回転させると、突出部２ａと受雷部５内部が固定され、図１３（ｂ）に示すように、受雷部取付金物の正面から見たときに基端部２ｂに表示されている『ＯＨＫ』と支持部３に表示されている『ＯＨＫ』とが目視することができれば、受雷部取付金物のコンクリート床６２への設置が完了したと判断する。このようにして、受雷部取付金物はコンクリート床６２に設置される。
【００９０】
このような本実施の形態６による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、該取付部１と十字穴付小ねじ６１により接続されるポリカーボネート製架台６０とを有し、シーリング材を用いてコンクリート床６２に取り付くようにしたので、床面が平らである陸屋根（ろくやね）などに簡単に設置することができ、また、受雷部の取り付け方が簡単で、かつ、受雷部がはずれにくい受雷部取付金物を実現可能である。
なお、本実施の形態６においては、架台を取付ける躯体がコンクリート床である場合を説明した。ＡＬＣ板であっても本実施の形態６と同様の構成で取付け可能である。
【００９１】
（実施の形態７）
以下、本発明の実施の形態７にかかる受雷部取付金物について、図１４、及び図１５を用いて説明する。
図１４は本実施の形態７による受雷部取付金物の構成を示す図であり、（ａ）は正面図、（ｂ）は右側面図である。なお、図において、図１と同一または相当する構成要素については同じ符号を用い、その説明を省略する。
【００９２】
本実施の形態７による受雷部取付金物は、図１に示す取付部１と、架台７０と、十字穴付小ねじ７１と、アンカーボルト（ポリカプラグ）７２で構成され、受雷部５をシーリング材を併用して被取付面であるコンクリート床７３に取り付けるものである。
以上のように構成された受雷部の被取付面（コンクリート床）への設置方法について図１５を用いて説明する。
【００９３】
まず、架台７０をポリカプラグ７２に接続する。そして、シーリング材を併用してポリカプラグ７２を打設し、架台７０をコンクリート床７３に固定する。
そして、防水パッキング４付きの支持部３を十字穴付小ねじ７１を用いて、コンクリート床７３に固定された架台７０に取付ける。
【００９４】
そして、上記実施の形態１と同様にして、支持部３の回転部２を挿入し、回転部２を右回転させて、図１５（ａ）に示すように、回転部２を支持部３に仮止めする。その後、回転部２の基端部２ｂを手で９０度右回転させると、突出部２ａと受雷部５内部が固定され、図１５（ｂ）に示すように、受雷部取付金物の正面から見たときに基端部２ｂに表示されている『ＯＨＫ』と支持部３に表示されている『ＯＨＫ』とが目視することができれば、受雷部取付金物のコンクリート床７３への設置が完了したと判断する。このようにして、受雷部取付金物はコンクリート床７３に設置される。
なお、受雷部取付金物の設置方法としては、架台７０に十字穴付小ねじ７１を用いて取付部１を取付けたあと、架台７０をシーリング材でコンクリート床７３に固定してもよい。
【００９５】
このような本実施の形態７による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、該取付部１と十字穴付小ねじ７１により接続されるポリカーボネ−ト製架台７０とを有し、ポリカプラグ７２とシーリング材を用いてコンクリート床７３に取り付くようにしたので、コンクリート床に設置することができ、また、受雷部の取り付け方が簡単で、かつ、受雷部がはずれにくい受雷部取付金物を実現可能である。さらに、シーリング材が本来の機能である防水効果を果たすと共に、避雷設備が、建築基準法施行令第８７条（風圧力）に則った検討により、避雷設備の自重のみでは飛来すると確認された場合、ポリカプラグを併用することにより避雷設備の飛来を防止することが可能である。
【００９６】
（実施の形態８）
以下、本発明の実施の形態８にかかる受雷部取付金物について。図１６〜図１８を用いて説明する。
図１７本実施の形態８による受雷部取付金物の構成を示す図であり、（ａ）は正面図、（ｂ）は右側面図である。図１６は、ポリカプラグが接続されている取付部の構成を示す図であり、（ａ）は正面図、（ｂ）は右側面図である。
【００９７】
実施の形態８による受雷部取付金物は、図１６に示すように、十字穴付小ねじ８１を用いてアンカーボルト（ポリカプラグ）８０が接続されている取付部１と、架台８２と、ゴムシート８３で構成され、受雷部５をコンクリート床８４に取り付けるものである。
架台８０はコンクリート製で、横２００ｍｍ、縦２００ｍｍ、高さ１９５ｍｍである。
ゴムシート８３は合成ゴム製で、床面の防水層の養生に用いられる。
【００９８】
以上のように構成された受雷部取付金物の被取付面（架台）への設置方法について図１８を用いて説明する。
まず、ポリカプラグ８０を架台８２の所定の位置に打設する。打設したポリカプラグ８０に防水パッキング４付きの支持部３を十字付穴付小ねじ８１を用いて接続する。そして、支持部３が取り付けられた架台８２をゴムシート８３の上に載せる。
【００９９】
そして、上記実施の形態１と同様にして、支持部３の回転部２を挿入し、回転部２を右回転させて、図１８（ａ）に示すように、回転部２を支持部３に仮止めする。その後、回転部２の基端部２ｂを手で９０度右回転させると、突出部２ａと受雷部５内部が固定され、図１８（ｂ）に示すように、受雷部取付金物の正面から見たときに基端部２ｂに表示されている『ＯＨＫ』と支持部３に表示されている『ＯＨＫ』とが目視することができれば、受雷部取付金物のコンクリート床８４への設置が完了したと判断する。このようにして、受雷部取付金物はコンクリート床８４に設置される。
なお、架台８２をゴムシート８３の上に置いてから取付部１を架台８２の所定の位置に打設することも可能である。
【０１００】
このような本実施の形態８による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、該取付部１とポリカプラグ８０を用いて接続されるコンクリート製架台８２とを有し、ゴムシート８３を用いてコンクリート床８４上に設置するようにしたので、シート防水層をはじめ露出アスファルト防水層やコンクリート床の上への受雷部取付金物の設置、防水層の改修、受雷部取付金物の定期点検を含む改修も容易に行うことが可能で、また受雷部５の取り付け方が簡単で、かつ、受雷部５がはずれにくい受雷部取付金物を実現可能である。
なお、本実施の形態８においては、避雷設備を取付ける躯体がコンクリート床である場合を説明した。架台が取付く躯体がＡＬＣ板であっても本実施の形態８と同様の構成で取付け可能である。
【０１０１】
（実施の形態９）
以下、本発明の実施の形態９にかかる受雷部取付金物について図１９及び図２０を用いて説明する。
図１９は、本実施の形態９による受雷部取付金物の構成を示すものである。なお、図において、図１と同一または相当する構成要素については同じ符号を用い、その説明を省略する。
【０１０２】
実施の形態９による受雷部取付金物は、図１に示す取付部１と、受台９０と、十字穴付小ねじ９１、帯板９２、ドリリングタッピンねじ９４とで構成され、受雷部５を被取付面である棟９３に取り付けるものである。
受台９０は、筒状のポリカーボネート製で、取付部５が取付く部分の中央部が側面に沿って一定の幅と厚さで補強されている。また、受台９０の底面は、底辺の中央から側面に沿って切り妻状に勾配が施されている。
【０１０３】
十字穴付小ねじ９１はステンレス製で、取付部１を受台９０に取付けるために用いられる。
ドリリングタッピンねじ９４はステンレス製で、帯板９２を棟９３に取付けるために用いられる。
帯板９２は鉄製である。
【０１０４】
以上のように構成された受雷部取付金物を被取付面（棟）に設置する方法について図２０を用いて説明する。
まず、防水パッキング４付きの支持部３を十字穴付小ねじ９１を用いて受台９０に取り付ける。そして、支持部３が取り付けられた受台９０に帯板９２を貫通させ、帯板９２を、受台９０に取り付けられる部分を凸状に、屋根に取付く両端部はＬ字状にそれぞれの形状に合わせて曲げ加工する。さらに、図２０に示すように、帯板９２を、棟９３の所定の位置にドリリングタッピンねじ９４で固定する。
【０１０５】
そして、上記実施の形態１と同様にして、支持部３の回転部２を挿入し、回転部２を右回転させて、図２０（ａ）に示すように、回転部２を支持部３に仮止めする。その後、回転部２の基端部２ｂを手で９０度右回転させると、突出部２ａと受雷部５内部が固定され、受雷部取付金物の正面から見たときに基端部２ｂに表示されている『ＯＨＫ』と支持部３に表示されている『ＯＨＫ』とが目視することができれば、受雷部取付金物の棟９３への設置が完了したと判断する。このようにして、受雷部取付金物は、棟９３に設置される。
【０１０６】
なお、帯板９２を受台９０に貫通させて、帯板９２を屋根に取り付けてから、取付部１を受台９０に取付けることも可能である。
このような本実施の形態９による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、該取付部と十字穴付小ねじ９１により接続される、筒状で底面が切妻状に加工された受台９０とを有し、受台９０に帯板９２を挿入してドリリングタッピンねじ９４を用いて棟９３に取り付けるようにしたので、屋根形状が寄棟や切妻等に簡単に設置することができ、また、受雷部５の取り付け方が簡単で、かつ、受雷部５がはずれにくい受雷部取付金物を実現可能である。
【０１０７】
（実施の形態１０）
以下、本発明の実施の形態１０にかかる受雷部取付金物について、図２１、及び図２２を用いて説明する。
図２１は、本実施の形態１０による受雷部取付金物の構成を示すものであり、（ａ）は正面図、（ｂ）は右側面図である。なお、図において、図１と同一または相当する構成要素については同じ符号を用い、その説明を省略する。
実施の形態１０による受雷部取付金物は、図１に示す取付部１と、変則Ｓ型金物１００、変則Ｚ型金物１０１と、十字穴付小ねじ１０２，１０５と、六角ナット１０４，１０６と、スプリングワッシャ１０３とで構成され、受雷部５を丸馳折板１０７に取り付けるものである。
【０１０８】
Ｓ字状をした変則Ｓ型金物１００、Ｚ字状をした変則Ｚ型金物１０１は、丸馳折板１０７に取り付くための金物で、それぞれの材質はＳＳ４００で溶融亜鉛めっきが施されている。
十字穴付小ねじ１０２、六角ナット１０４、及びスプリングワッシャ１０３はステンレス製で、取付部１を変則Ｓ型金物１００に固定するために用いられる。
【０１０９】
十字穴付小ねじ１０５、六角ナット１０６はステンレス製で、変則Ｚ型金物１０１に変則Ｓ型金物１００を取付けるために用いられる。
以上のように構成された受雷部取付金物の被取付面（丸馳折板）への設置方法を図２２を用いて説明する。
【０１１０】
まず、防水パッキング４付きの支持部３を十字穴付小ねじ１０２、六角ナット１０４、スプリングワッシャ１０３を用いて変則Ｚ型金物１０１に固定する。
そして、支持部３が取り付けられた変則Ｚ型金物１０１に丸馳折板１０７を挟んで変則Ｓ型金物１００を添え、十字穴付小ねじ１０５、六角ナット１０６を用いて固定する。
【０１１１】
そして、上記実施の形態１と同様にして、支持部３の回転部２を挿入し、回転部２を右回転させて、図２２（ａ）に示すように、回転部２を支持部３に仮止めする。その後、回転部２の基端部２ｂを手で９０度右回転させると、突出部２ａと受雷部５内部が固定され、図２２（ｂ）に示すように、受雷部取付金物の正面から見たときに基端部２ｂに表示されている『ＯＨＫ』と支持部３に表示されている『ＯＨＫ』とが目視することができれば、受雷部取付金物の丸馳折板１０７への設置が完了したと判断する。このようにして、受雷部取付金物は丸馳折板１０７に設置される。
【０１１２】
なお、上記受雷部取付金物の丸馳折板への設置方法は、上記の手順に限らず、丸馳折板１０７に変則Ｚ型金物１０１、変則Ｓ型金物１００を十字穴付小ねじ１０５、六角ナット１０６を用いて取付けてから、取付部１を取付けても良い。
【０１１３】
このような本実施の形態１０による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、該取付部１に十字穴付き小ねじ１０２、六角ナット１０４を用いて接続される、変則Ｓ型金物１００と変則Ｚ型金物１０１よりなる金物とを有し、変則Ｓ型金物１００と変則Ｚ型金物１０１の間に丸馳折板１０７を挟むようにして、十字穴付小ねじ１０５と六角ナット１０６とを用いて丸馳折板１０７に取り付けるようにしたので、丸馳折板に簡単に設置することができ、また、受雷部の取り付け方が簡単で、かつ、受雷部がはずれにくい受雷部取付金物を実現可能である。
【０１１４】
（実施の形態１１）
以下、本発明の実施の形態１１にかかる受雷部取付金物について、図２３及び図２４を用いて説明する。
図２３は、本実施の形態１による受雷部取付金物の構成を示す図であり、（ａ）は正面図、（ｂ）は右側面図である。なお、図において、図１と同一または相当する構成要素については同じ符号を用い、その説明を省略する。
【０１１５】
本実施の形態１１による受雷部取付金物は、図１に示す取付部１と、金物１１０と、十字穴付小ねじ１１１，１１４と、六角ナット１１２，１１５と、スプリングワッシャ１１３とで構成され、受雷部５を立馳折板１１６に取り付けるものである。
十字穴付小ねじ１１１、六角ナット１１２、スプリングワッシャ１１３はステンレス製で、取付部１を金物１１０に固定するために用いられる。
【０１１６】
金物１１０は、上板、下板、側板からなるコ字状で、十字穴付小ねじ１１４、六角ナット１１５を用いて立馳折板１１６に取り付くものであり、立馳折板１１６と接するコ字状の上板の内側は立馳折板１１６からの離脱を防止する為に波型に加工され、材質はＳＳ４００で溶融亜鉛めっきが施されている。
十字穴付小ねじ１１４はステンレス製で、その先端は円盤状に加工され、金物１１０を立馳折板１１６に取り付ける際に立馳折板１１６が傷まない様に保護する機能を有する。
【０１１７】
以上のように構成された受雷部取付金物の被取付面（立馳折板）へ設置方法について図２４を用いて説明する。
まず、防水パッキング４付きの支持部３を十字穴付小ねじ１１１、スプリングワッシャ１１３、六角ナット１１２を用いて金物１１０に取り付ける。そして、支持部が取り付けられた金物１１０を立馳折板１１６に、十字穴付小ねじ１１４および六角ナット１１５を用いて固定する。
【０１１８】
そして、上記実施の形態１と同様にして、支持部３の回転部２を挿入し、回転部２を右回転させて、図２４（ａ）に示すように、回転部２を支持部３に仮止めする。その後、回転部２の基端部２ｂを手で９０度右回転させると、突出部２ａと受雷部５内部が固定され、図２４（ｂ）に示すように、受雷部取付金物の正面から見たときに基端部２ｂに表示されている『ＯＨＫ』と支持部３に表示されている『ＯＨＫ』とが目視することができれば、受雷部取付金物の立馳折板１１６への設置が完了したと判断する。このようにして、受雷部取付金物は立馳折板１１６に設置される。
【０１１９】
なお、金物１１０を立馳折板１１６に十字穴付小ねじ１１４および六角ナット１１５を用いて固定した後、取付部１を金物１１０に取付けても良い。
ここでの重要なことは、上記十字穴付小ねじ１１４の先端が円盤状に加工されていることである。上記立馳折板１１６の板厚は薄いので、上記十字穴付小ねじ１１４を締め付けた時、上記立馳折板を傷めない様にするためである。
【０１２０】
このような本実施の形態１１による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、該取付部１に十字穴付小ねじ１１１と六角ナット１１２を用いて接続される、上板と下板と側板とから成るコ字状で、被取付面と接する上板の内側が波型に加工された金物１１０とを有し、十字穴付小ねじ１１４と六角ナット１１５を用いて立馳折板１１６に取り付けるようにしたので、立馳折板に簡単に設置することができ、また、受雷部５の取り付け方が簡単で、かつ、受雷部５がはずれにくい受雷部取付金物を実現可能である。
【０１２１】
（実施の形態１２）
以下、本発明の実施の形態１２にかかる受雷部取付金物について、図２５、及び図２６を用いて説明する。
図２５は、本実施の形態１２による受雷部取付金物の構成を示す図であり、（ａ）は正面図、（ｂ）は右側面図である。なお、図において、図１と同一または相当する構成要素については同じ符号を用い、その説明を省略する。
【０１２２】
本実施の形態１２による受雷部取付金物は、回転部２と支持部３とよりなる取付部で構成され、受雷部５を折板屋根１２０に取り付けるためのものである。なお、折板には数種類の規格サイズがあるので、取付部は折板の取付ボルトのサイズにあわせて製造することも可能である。
以上のように構成された受雷部取付金物の被取付面（折板屋根）への設置方法を図２６を用いて説明する。なお、折板屋根１２０は、タイトフレーム１２１にボルト１２３とナット１２４により取り付けられている。
【０１２３】
まず、ボルト１２３のねじ部分、つまりナット１２４の上に重ねるように、支持部３を取り付ける。
そして、上記実施の形態１と同様にして、支持部３の回転部２を挿入し、回転部２を右回転させて、図２６（ａ）に示すように、回転部２を支持部３に仮止めする。その後、回転部２の基端部２ｂを手で９０度右回転させると、突出部２ａと受雷部５内部が固定され、図２６（ｂ）に示すように、受雷部取付金物の正面から見たときに基端部２ｂに表示されている『ＯＨＫ』と支持部３に表示されている『ＯＨＫ』とが目視することができれば、受雷部取付金物の折板屋根１２０への設置が完了したと判断する。このようにして、受雷部取付金物は折板屋根１２０に設置される。
【０１２４】
このような本実施の形態１２による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１を有し、該取付部１を折板屋根１２０上のボルト１２３に溶接により取り付けるようにしたので、従来行っていた、折板取付け後のボルト処理を省くことができ、受雷部５の取り付け方が簡単で、かつ、受雷部５がはずれにくい受雷部取付金物を実現可能である。
【０１２５】
（実施の形態１３）
以下、本発明の実施の形態１３にかかる受雷部取付金物について図２７及び図２８を用いて説明する。
図２７は、本実施の形態１３による受雷部取付金物の構成を示す図であり、（ａ）は正面図、（ｂ）は右側面図である。
【０１２６】
本実施の形態１３による受雷部取付金物は、図１に示す取付部１と、金物本体１３０と、金物１３１と、十字穴付小ねじ１３２と、六角ナット１３３と、スプリングワッシャ１３４と、ねじ１３５と、六角ナット１３６とで構成され、受雷部５を瓦棒１３７に取り付けるものである。
【０１２７】
金物本体１３０は、上板と下板と側板とで構成される略コ字状で、上板と下板には、ねじ１３５を貫通させるための穴が設けら、また、その先端は、瓦棒１３７から離脱しない様にそれぞれ内側へＵ字加工され、側板には取付部１を取付ける穴が明けられている。
【０１２８】
金物１３１は、上板と下板と側板とで構成されるコ字状で、側板が瓦棒１３７と接することによって、金物本体１３０の固定度の安定性を図るために使用されるものである。この金物１３１の上板と下板には、ねじ１３５を貫通させるための穴が設けられている。
ねじ１３５は、円筒部の一部に不完全ねじ部を有し、金物１３１を瓦棒１３７に取付ける際に用いられる。
【０１２９】
以上のように構成された受雷部取付金物の被取付面（瓦棒）への設置方法を図２８を用いて説明する。
まず、防水パッキング４付きの支持部３を金物本体１３０に、六角ナット１３３、十字穴付小ねじ１３２、スプリングワッシャ１３４を用いて取付ける。
次に、支持部３が取り付けられた金物本体１３０を、ねじ１３５、六角ナット１３６、金物１３１を用いて瓦棒１３７に固定する。
【０１３０】
そして、上記実施の形態１と同様にして、支持部３の回転部２を挿入し、回転部２を右回転させて、図２８（ａ）に示すように、回転部２を支持部３に仮止めする。その後、回転部２の基端部２ｂを手で９０度右回転させると、突出部２ａと受雷部５内部が固定され、図２８（ｂ）に示すように、受雷部取付金物の正面から見たときに基端部２ｂに表示されている『ＯＨＫ』と支持部３に表示されている『ＯＨＫ』とが目視することができれば、受雷部取付金物の瓦棒１３７への設置が完了したと判断する。このようにして、受雷部取付金物は瓦棒１３７に設置される。
【０１３１】
このような本実施の形態１３による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、該取付部１に十字穴付小ねじ１３２と六角ナット１３３を用いて接続される、上板と下板と側板とから成る略コ字状で、上板と下板との一方端がＵ字状に加工されている金物本体１３０とを有し、上板と下板と側板とから成るコ字状の金物１３１と、ねじ１３５と、六角ナット１３６を用いて瓦棒１３７に取り付けるようにしたので、瓦棒に簡単に設置することができ、また、受雷部５の取り付け方が簡単で、かつ、受雷部５がはずれにくい受雷部取付金物を実現可能である。
【０１３２】
（実施の形態１４）
以下、本発明の実施の形態１４による受雷部取付金物について、図２９及び図３０を用いて説明する。
図２９は、本実施の形態１４による受雷部取付金物の構成を示すものであり、（ａ）は正面図、（ｂ）は右側面図である。なお、図において、図１と同一または相当する構成要素については同じ符号を用い、その説明を省略する。
【０１３３】
本実施の形態１４による受雷部取付金物は、回転部２と、支持部３と、六角ボルト１４０とで構成され、受雷部５を鉄部１４１に取り付けるものである。
以上のように構成された受雷部取付金物の被取付面（鉄部）への設置方法を図３０を用いて説明する。
まず、六角ボルト１４０を鉄部１４１の所定の位置に溶接する。そして、その六角ボルト１４０に、支持部３を取り付ける。
【０１３４】
そして、上記実施の形態１と同様にして、支持部３の回転部２を挿入し、回転部２を右回転させて、図３０（ａ）に示すように、回転部２を支持部３に仮止めする。その後、回転部２の基端部２ｂを手で９０度右回転させると、突出部２ａと受雷部５内部が固定され、図３０（ｂ）に示すように、受雷部取付金物の正面から見たときに基端部２ｂに表示されている『ＯＨＫ』と支持部３に表示されている『ＯＨＫ』とが目視することができれば、受雷部取付金物の鉄部１４１への設置が完了したと判断する。このようにして、受雷部取付金物は鉄部１４１に設置される。
【０１３５】
このような本実施の形態１４による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、六角ボルト１４０とを有し、六角ボルト１４０を溶接することにより鉄部１４１に取り付けるようにしたので、簡単に鉄部に設置することができ、また、受雷部５の取り付け方が簡単で、かつ、受雷部５がはずれにくい受雷部取付金物を実現可能である。
【０１３６】
（実施の形態１５）
以下、本発明の実施の形態１５による受雷部取付金物について、図３１及び図３２を用いて説明する。
図３１は、本実施の形態１５による受雷部取付金物の構成を示す図であり、（ａ）は正面図、（ｂ）は右側面図である。なお、図において、図１と同一または相当する構成要素については同じ符号を用い、その説明を省略する。
【０１３７】
実施の形態１５による受雷部取付金物は、図１に示す取付部１と、バンド１５０と、ピン１５１と、十字穴付小ねじ１５２，１５５と、六角ナット１５３，１５６と、スプリングワッシャ１５４とで構成され、受雷部５を鋼管１５７に取り付けるものである。
バンド１５０は、金物１５０ａと、金物１５０ｂとで構成された蝶番状の金物であり、材質はＳＳ４００で、溶融亜鉛めっきが施されている。
【０１３８】
六角ナット１５６はステンレス製であり、金物１５０ａと金物１５０ｂとを接続するものである。
以上のように構成された受雷部取付金物の被取付面（鋼管）への設置方法を図３２を用いて説明する。
まず、防水パッキング４付きの支持部３を、十字穴付小ねじ１５２、ナット１５３、スプリングワッシャ１５４を用いて固定する。
【０１３９】
次に、支持部３が取り付けられたバンド１５０を、鋼管１５７の所定の位置に、十字穴付小ねじ１５５と六角ナット１５６を用いて接続し、溶接により固定する。
そして、上記実施の形態１と同様にして、支持部３の回転部２を挿入し、回転部２を右回転させて、図３２（ａ）に示すように、回転部２を支持部３に仮止めする。その後、回転部２の基端部２ｂを手で９０度右回転させると、突出部２ａと受雷部５内部が固定され、図３２（ｂ）に示すように、受雷部取付金物の正面から見たときに基端部２ｂに表示されている『ＯＨＫ』と支持部３に表示されている『ＯＨＫ』とが目視することができれば、受雷部取付金物の鋼管１５７への設置が完了したと判断する。このようにして、受雷部取付金物は鋼管１５７に設置される。
【０１４０】
このような本実施の形態１５による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、該取付部１に十字穴付小ねじ１５２と六角ナット１５３を用いて接続される、円弧状に加工された蝶番状のバンド１５０とを有し、バンド１５０を構成する金物１５０ａと金物１５０ｂの間に鋼管１５７を挟むようにして十字穴付小ねじ１５５と六角ナット１５６を用いて取り付けるようにしたので、簡単に鋼管に設置することができ、また、受雷部の取り付け方が簡単で、かつ、受雷部がはずれにくい受雷部取付金物を実現可能である。
【０１４１】
なお、本実施の形態１５では、バンドを材質をＳＵＳ３０４に変更することや、形状を大きくしたり、正方形や長方形に加工することも可能であるので、取付部材は鋼管ばかりでなく、角型鋼管、Ｈ形鋼、溝形鋼、Ｉ形鋼、軽量形鋼、に取付けることも可能である。
【０１４２】
（実施の形態１６）
以下、本発明の実施の形態１６にかかる受雷部取付金物について図３３及び図３４を用いて説明する。
図３３は、本実施の形態１６による受雷部取付金物の構成を示す図であり、（ａ）は正面図、（ｂ）は右側面図である。なお、図において、図１と同一または相当する構成要素について同じ符号を用い、その説明を省略する。
【０１４３】
本実施の形態１６による受雷部取付金物は、図１に示す取付部１と、架台１６０ａと、十字穴付小ねじ１６１で構成され、受雷部５をシーリング材によってアスファルトシングル葺き屋根１６２に取り付けるものである。
架台１６０ａはポリカーボネート製で、立面形状は凸型をしており凸部の底面の平面形状は長方形で、底面部分はシーリング材とアスファルトシングル葺き屋根１６２との接着力を増すために山切り状に加工され、凸部の立ち上がり部分は円形で、凸部立ち上がり部分の中央部には、取付部１を十字穴付小ねじ１６１で取り付けるための雌ねじが加工されている。
【０１４４】
以上のように構成された受雷部取付金物の被取付面（アスファルトシングル葺き屋根）への設置方法を図３４を用いて説明する。
まず、架台１６０ａをシーリング材を用いてアスファルトシングル葺き屋根１６２の平場部に固定する。なお、シーリング材はシリコーン系の接着剤である。
そして、アスファルトシングル葺き屋根１６２の平場部に固定された架台１６０ａに、十字穴付小ねじ１６１を用いて取付部１を取付ける。
【０１４５】
次に、上記実施の形態１と同様にして、図３３（ａ）に示すように、回転部２を支持部３に仮止めする。その後、回転部２の基端部２ｂを手で９０度右回転させると、突出部２ａと受雷部５内部が固定され、図９（ｂ）に示すように、受雷部取付金物の正面から見たときに基端部２ｂに表示されている『ＯＨＫ』と支持部３に表示されている『ＯＨＫ』とが目視することができれば、受雷部取付金物の鉄骨４６への設置が完了したと判断する。このようにして、受雷部取付金物はアスファルトシングル葺き屋根１６２の平場部に設置される。
【０１４６】
このような本実施の形態１６による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、該取付部１に十字穴付小ねじ１６１を用いて接続される架台１６０ａとを有し、シーリング材を用いてアスファルトシングル葺き屋根１６２の平場部に取り付けるようにしたので、簡単にアスファルトシングル葺き屋根１６２に設置することができ、また、受雷部５の取り付け方が簡単で、かつ、受雷部５がはずれにくい受雷部取付金物を実現可能である。
【０１４７】
（実施の形態１７）
以下に、本発明の実施の形態１７にかかる受雷部取付金物について図３５及び図３６を用いて説明する。
図３５は、本実施の形態１７による受雷部取付金物の構成を示す図であり、（ａ）は正面図、（ｂ）は右側面図である。なお、図において、図３３に同一または相当する構成要素については同じ符号を用い、その説明を省略する。
【０１４８】
架台１６０ｂは、アスファルトシングル葺き屋根１６２の勾配屋根の棟部１６３に設置するためのものであり、該架台１６０ｂの底面を屋根の勾配に合わせて加工することでアスファルトシングル葺き屋根１６２の棟部１６３に避雷設備を取付けることが可能になる。
以上のように構成された受雷部取付金物の被取付面（アスファルトシングル葺き屋根の棟部）への設置方法を図３６を用いて説明する。
【０１４９】
まず、架台１６０ｂをシーリング材を用いてアスファルトシングル葺き屋根１６２の棟部１６３に固定する。そして、架台１６０ｂに、十字穴付小ねじ１６１を用いて取付部１を取付ける。
【０１５０】
次に、上記実施の形態１と同様にして、図３３（ａ）に示すように、回転部２を支持部３に仮止めする。その後、回転部２の基端部２ｂを手で９０度右回転させると、突出部２ａと受雷部５内部が固定され、図９（ｂ）に示すように、受雷部取付金物の正面から見たときに基端部２ｂに表示されている『ＯＨＫ』と支持部３に表示されている『ＯＨＫ』とが目視することができれば、受雷部取付金物の鉄骨４６への設置が完了したと判断する。このようにして、受雷部取付金物はアスファルトシングル葺き屋根１６２の棟部１６３に設置される。
【０１５１】
このような本実施の形態１７による受雷部取付金物は、雷撃を受け止めるための突針、及び該突針と電気的に接続される、リップ溝形状断面を有する長尺状の受雷部５を建造物上に支持する受雷部取付金物であって、上記受雷部取付金物は、上記受雷部５のリップ溝形状断面内に挿入され、９０度回転されることにより該受雷部５を取り付ける取付部１と、該取付部１に十字穴付小ねじ１６１を用いて接続される架台１６０ｂとを有し、シーリング材を用いてアスファルトシングル葺き屋根１６２の棟部１６３に取り付けるようにしたので、簡単にアスファルトシングル葺き屋根１６２に設置することができ、また、受雷部５の取り付け方が簡単で、かつ、受雷部５がはずれにくい受雷部取付金物を実現可能である。
【０１５２】
なお、上記実施の形態１〜１７において、受雷部取付金物の被取付面への設置方法は必ずしも上記各実施の形態で説明した手順である必要はなく、他の手順であっても良い。
【産業上の利用可能性】
【０１５３】
本発明の受雷部取付金物は、コ字状断面、またはリップ溝形状断面を有する受雷部等を簡単、かつ確実に取り付け、被取付面上の所定の高さ位置に支持することができる金物として有用である。
【図面の簡単な説明】
【０１５４】
【図１】本発明の実施の形態１による受雷部取付金物の取付部と、該取付部に取り付けられる受雷部の構成を示す図である。
【図２】本発明の実施の形態１による受雷部取付金物の構成を示す図である。
【図３】本発明の実施の形態１による受雷部取付金物のコンクリート躯体への設置方法を説明するための図である。
【図４】本発明の実施の形態２による受雷部取付金物の構成を示す図である。
【図５】本発明の実施の形態２による受雷部取付金物の金属性笠木への設置方法を説明するための図である。
【図６】本発明の実施の形態３による受雷部取付金物の構成を示す図である。
【図７】本発明の実施の形態３による受雷部取付金物のＡＬＣ板への設置方法を説明するための図である。
【図８】本発明の実施の形態４による受雷部取付金物の構成を示す図である。
【図９】本発明の実施の形態４による受雷部取付金物の鉄骨への設置方法を説明するための図である。
【図１０】本発明の実施の形態５による受雷部取付金物の構成を示す図である。
【図１１】本発明の実施の形態５による受雷部取付金物のアスファルトシングル葺き屋根への設置方法を説明するための図である。
【図１２】本発明の実施の形態６による受雷部取付金物の構成を示す図である。
【図１３】本発明の実施の形態６による受雷部取付金物のコンクリート床への設置方法を説明するための図である。
【図１４】本発明の実施の形態７による受雷部取付金物の構成を示す図である。
【図１５】本発明の実施の形態７による受雷部取付金物のコンクリート床への設置方法を説明するための図である。
【図１６】本発明の実施の形態８による受雷部取付金物の、ポリカプラグに接続された取付部の構成を示す図である。
【図１７】本発明の実施の形態８による受雷部取付金物の構成を示す図である。
【図１８】本発明の実施の形態８による受雷部取付金物のコンクリート床への設置方法を説明するための図である。
【図１９】本発明の実施の形態９による受雷部取付金物の構成を示す図である。
【図２０】本発明の実施の形態９による受雷部取付金物の棟への設置方法を説明するための図である。
【図２１】本発明の実施の形態１０による受雷部取付金物の構成を示す図である。
【図２２】本発明の実施の形態１０による受雷部取付金物の丸馳折板への設置方法を説明するための図である。
【図２３】本発明の実施の形態１１による受雷部取付金物の構成を示す図である。
【図２４】本発明の実施の形態１１による受雷部取付金物の立馳折板への設置方法を説明するための図である。
【図２５】本発明の実施の形態１２による受雷部取付金物の構成を示す図である。
【図２６】本発明の実施の形態１２による受雷部取付金物の折板屋根への設置方法を説明するための図である。
【図２７】本発明の実施の形態１３による受雷部取付金物の構成を示す図である。
【図２８】本発明の実施の形態１３による受雷部取付金物の瓦棒への設置方法を説明するための図である。
【図２９】本発明の実施の形態１４による受雷部取付金物の構成を示す図である。
【図３０】本発明の実施の形態１４による受雷部取付金物の鉄部への設置方法を説明するための図である。
【図３１】本発明の実施の形態１５による受雷部取付金物の構成を示す図である。
【図３２】本発明の実施の形態１５による受雷部取付金物の鋼管への設置方法を説明するための図である。
【図３３】本発明の実施の形態１６による受雷部取付金物の構成を示す図である。
【図３４】本発明の実施の形態１６による受雷部取付金物のアスファルトシングル葺き屋根の平場部への設置方法を説明するための図である。
【図３５】本発明の実施の形態１７による受雷部取付金物の構成を示す図である。
【図３６】本発明の実施の形態１７による受雷部取付金物のアスファルトシングル葺き屋根の棟部への設置方法を説明するための図である。
【図３７】従来の導線取付金物の構成を示す図である。
【図３８】従来の導帯取付金物の構成を示す図である。
【符号の説明】
【０１５５】
１  取付部
２  回転部
２ａ  突出部
２ｂ  基端部
３  支持部
４  防水パッキング
５  受雷部
１０  ポリカプラグ
１１  十字穴付小ねじ
１２  コンクリート躯体
２０  ポップナット
２１  十字穴付小ねじ
２２  金属製笠木
２３  コンクリート躯体
３０  ＡＬＣ板専用金属系アンカー
３１  十字穴付小ねじ
３２  ＡＬＣ板
４０  金物
４１  十字穴付小ねじ
４２  六角ナット
４３  スプリングワッシャ
４４  六角ボルト
４５  六角ナット
４６  鉄骨
５０  帯板
５１  十字穴付小ねじ
５２  六角ナット
５３  釘
５４  アスファルトシングル葺き屋根
６０  架台（ポリカーボネ−ト製）
６１  十字穴付小ねじ
６２  コンクリート床
７０  架台（ポリカーボネ−ト製）
７１  十字穴付小ねじ
７２  ポリカプラグ
７３  コンクリート床
８０  ポリカプラグ
８１  十字穴付小ねじ
８２  架台（コンクリート製）
８３  ゴムシート
８４  コンクリート床
９０  受台
９１  十字穴付小ねじ
９２  帯板
９３  棟
９４  ドリリングタッピンねじ
１００  変則Ｓ型金物
１０１  変則Ｚ型金物
１０２  十字穴付小ねじ
１０３  スプリングワッシャ
１０４  六角ナット
１０５  十字穴付小ねじ
１０６  六角ナット
１０７  丸馳折板
１１０  金物
１１１  十字穴付小ねじ
１１２  六角ナット
１１３  スプリングワッシャ
１１４  十字穴付小ねじ
１１５  六角ナット
１１６  立馳折板
１２０  折板屋根
１２１  タイトフレーム
１２３  ボルト
１２４  ナット
１３０  金物本体
１３１  金物
１３２  十字穴付小ねじ
１３３  六角ナット
１３４  スプリングワッシャ
１３五  ねじ
１３６  六角ナット
１３７  瓦棒
１３９  ねじ
１４０  六角ボルト
１４１  鉄部
１５０  バンド
１５０ａ、１５０ｂ  金物
１５１  ピン
１５２  十字穴付小ねじ
１５３  六角ナット
１５４  スプリングワッシャ
１５５  十字穴付小ねじ
１５６  六角ナット
１５７  鋼管
１６０ａ、１６０ｂ  架台
１６１  十字穴付小ねじ
１６２  アスファルトシングル葺き屋根
１６３  棟
１７００  建造物
１７０１  導線保持部
１７０２  ボルト
１７０３  防水パッキング
１７０４  支持部
１７０５  金属系アンカー
１７０５ａ  コーン
１７０５ｂ  拡張部
１７０６  ねじ
１７０７  回転部
１７０８  避雷導線
１８００  建造物
１８０１  Ｈ型部
１８０４  コの字型部
１８０５  金属系アンカー
１８０５ａ  コーン
１８０５ｂ  拡張部
１８０６  耐食性ゴム
１８０７  ねじ
１８０８  導帯
【図１】
2005033928.tif 000003
【図２】
2005033928.tif 000004
【図３】
2005033928.tif 000005
【図４】
2005033928.tif 000006
【図５】
2005033928.tif 000007
【図６】
2005033928.tif 000008
【図７】
2005033928.tif 000009
【図８】
2005033928.tif 000010
【図９】
2005033928.tif 000011
【図１０】
2005033928.tif 000012
【図１１】
2005033928.tif 000013
【図１２】
2005033928.tif 000014
【図１３】
2005033928.tif 000015
【図１４】
2005033928.tif 000016
【図１５】
2005033928.tif 000017
【図１６】
2005033928.tif 000018
【図１７】
2005033928.tif 000019
【図１８】
2005033928.tif 000020
【図１９】
2005033928.tif 000021
【図２０】
2005033928.tif 000022
【図２１】
2005033928.tif 000023
【図２２】
2005033928.tif 000024
【図２３】
2005033928.tif 000025
【図２４】
2005033928.tif 000026
【図２５】
2005033928.tif 000027
【図２６】
2005033928.tif 000028
【図２７】
2005033928.tif 000029
【図２８】
2005033928.tif 000030
【図２９】
2005033928.tif 000031
【図３０】
2005033928.tif 000032
【図３１】
2005033928.tif 000033
【図３２】
2005033928.tif 000034
【図３３】
2005033928.tif 000035
【図３４】
2005033928.tif 000036
【図３５】
2005033928.tif 000037
【図３６】
2005033928.tif 000038
【図３７】
2005033928.tif 000039
【図３８】
2005033928.tif 000040